(57)【要約】      （修正有）【課題】小規模の簡易スポーツバーで一つの大型スクリーンで複数の画面を同時に視聴しながら、各座席では音響を選択して聴取できる映像システムを提供する。【解決手段】多数チャネルの音響及び映像の受信装置と、音響と映像とを分離する装置と、映像セレクタと、その映像を投影するプロジェクタ５とスクリーン４と、各テーブル２の位置に配置した音響セレクタと音響増幅装置とスピーカとからなる音響ボックス２００と、から構成され、上記スクリーン４には多数の映像を分割して投影し、上記テーブル２では多数の音響中のいずれか一つを選択することができるスポーツカフェ用音響及び映像システム。【選択図】図１
2013062795.tif 000002
【特許請求の範囲】
【請求項１】
大勢の人が視聴するスポーツカフェ用音響及び映像システム構造において、多数のチャンネルの映像及び多数の音響を受信装置で同時に受信して出力する段階；
上記受信装置から出力される多数の映像と多数の音響で映像と音響を分離する段階；
上記分離した多数の映像をチャンネル単位で入力を受けて、そのうち一つの映像を映像セレクターで選択して出力する段階；
上記映像セレクターから出力される映像の入力を受けたプロジェクターがスクリーンに投射する段階；と
上記受信装置で分離した多数のチャンネル単位音響の入力を受けて音響セレクターでそのうちの一つの音響を選択する段階；
上記音響セレクターからスピーカーに音響が出力される段階；
上記音響セレクターと上記スピーカーをテーブル位置に構成する段階；
を含むものであって
上記スクリーンでは多数の映像又は一つの映像のうちいずれか一つを選択し、
上記テーブル位置では多数の音響中のいずれか一つの音響を選択することができることを特徴とするスポーツカフェ用音響及び映像システム。
【請求項２】
上記スピーカーに集音装置又は音響導波管を結合して、上記スピーカー音響の拡散角を調整することができることを特徴とする請求項１に記載のスポーツカフェ用音響及び映像システム。
【請求項３】
上記音響セレクターと音響増幅装置と上記スピーカーが一つのボックスで構成したことを特徴とする請求項１に記載のスポーツカフェ用音響及び映像システム。
【請求項４】
上記プロジェクターの構成を３Ｄ用プロジェクターで構成したことを特徴とする請求項１に記載のスポーツカフェ用音響及び映像システム。
【請求項５】
セットトップボックスと映像分割器と上記映像セレクターを一つのコントロールボックスで構成したことを特徴とする請求項１に記載のスポーツカフェ用音響及び映像システム。
【請求項６】
上記コントロールボックス構造と上記プロジェクターを結合して構成したことを特徴とする請求項５に記載のスポーツカフェ用音響及び映像システム。
【発明の詳細な説明】
【技術分野】
【０００１】
本発明は、スポーツ中継をしながら飲み物等を販売するスポーツバーのような大衆接客場所に設置するスクリーン映像装置に関するものであり、一つのスクリーンで複数の画面を出すか、一つの大型画面に選択して投影して、複数の競技場面又は選択される一つの競技場面を見ながら各テーブルでは選択された音響を聴取することができるもので、特に簡易スポーツバー、カフェに有用な音響及び映像システムに関するものである。
【背景技術】
【０００２】
一般的にビールカフェ、レストラン等でスポーツ中継放送を視聴する時、椅子ごとに複数のＰＤＰモニター等を少なくは１０台、多くは数十台設置して１−２人が一つのモニターを通じて視聴する構造であった。
【０００３】
しかしこのような構造は、画面の大きさが４０−５０インチの大きさで小さく、ＰＤＰモニターの設置費が過多で電力消費が多い問題点があった。
また小さな小規模のスポーツバーでも、漸次大型画面を要求する趨勢で、必要に応じて他の競技も同時に視聴する必要が台頭しているため、大型スクリーンと共に並行して複数のＰＤＰモニターを設置していた。
【０００４】
この場合、小規模のスポーツバーでは、場所の制限によりスクリーンと多数モニターの同時設置が不可能であるため、大型スクリーン一つで設置する時は一つの競技の外は複数の競技視聴が不可能であり、小さなモニターを複数個設置した時は画面が小さくてスポーツ競技中継の視聴効果を半減させる副作用がある。
【０００５】
また一つの大型スクリーンに複数の映像を同時に投影する視覚画面ごとに送出される音響が入り混じる問題点がある。
【０００６】
また、多数個のモニターを設置して複数のチャンネルのスポーツ中継を提供する時は、それだけ営業場所の内部が広くなければならないため、小規模のカフェ内部で多数のモニター設置が不可能で多数のスポーツ視聴が不可能であった。
【先行技術文献】
【特許文献】
【０００７】
【特許文献１】韓国公開特許１０−２００７−００５４７８０号公報
【特許文献２】韓国公開特許１０−２０１１−００４２６１２号公報
【発明の概要】
【発明が解決しようとする課題】
【０００８】
本発明は、小規模の簡易スポーツバー等で、一つの８０インチ以上の大型スクリーンで複数の画面を同時に視聴しながら各座席では音響を選択して聴取したり、一つの大型スクリーンに一つの映像を大型で視聴することができる音響及び映像システムを提供するところにその目的がある。
【課題を解決するための手段】
【０００９】
上記の課題を解決するために、この発明に係るスポーツカフェ用音響及び映像システム（ａｕｄｉｏ−ｖｉｄｅｏ  ｓｙｓｔｅｍ  ｆｏｒ  ｓｐｏｒｔｓ  ｃａｆｅ）は、多数のチャンネルの映像及び多数の音響を受信装置で同時に受信して出力する段階、受信装置から出力される多数の映像と多数の音響で映像と音響を分離する段階、分離した多数の映像をチャンネル単位で入力を受けて、そのうち一つの映像を映像セレクターで選択して出力する段階、映像セレクターから出力される映像の入力を受けたプロジェクターがスクリーンに投射する段階と、受信装置で分離した多数のチャンネル単位音響の入力を受けて音響セレクターでそのうちの一つの音響を選択する段階、音響セレクターからスピーカーに音響が出力される段階、音響セレクターとスピーカーをテーブル位置に構成する段階を含むものであって、スクリーンでは多数の映像又は一つの映像のうちいずれか一つを選択し、テーブル位置では多数の音響中のいずれか一つの音響を選択することができることを特徴とする。
【００１０】
具体的には、本発明は、８０インチ以上の大型のスクリーンと多数個の放送チャンネルによってそれぞれ多数個の放送チャンネルの入力を受けるセットトップボックスと、一つの画面に多数個のチャンネル映像を一つの画面で分割合成する映像分割器と、多数の映像中で一つの映像を選択して出力する映像セレクターと、上記映像セレクターで選択されて投射するプロジェクターとスクリーンで構成され、
上記多数個のチャンネルによって出力される多数チャンネルの音響中で一つのチャンネルを選択する音響セレクターと、音響セレクターによって選択された音響を増幅する増幅装置とスピーカーで構成され、
上記音響を指向性があるように一方向に出力させる音響集音装置を上記スピーカーと結合し、上記音響セレクター装置が結合されたテーブル構造からなる。
【発明の効果】
【００１１】
本発明は、小さな場所で大型スクリーンに多数の画面を同時に視聴したり、多数の画面中で一つの画面を大型画面で選択して視聴することができ、
テーブルで音響を選択して聴取することができ、
一つのプロジェクターと一つのスクリーンによって多数の画面を同時に投影するため、従来の複数個の小さなモニター設置からくる過多な設置費と電力費を減縮することができ、小さな場所で複数の映像を同時に提供することができる。
【図面の簡単な説明】
【００１２】
【図１】本発明の構造が実施されたカフェ内部の構成説明図である。
【図２】図２（ａ）は、スクリーンで多数映像投影時の説明図である。図２（ｂ）は、スクリーンで一つの映像投影時の説明図である。
【図３】本発明の構成要素の説明図である。
【図４】テーブルに結合された指向性スピーカー構造の説明図である。
【図５】集音装置の作用説明図である。
【図６】音響ボックスの構成に関する説明図である。
【図７】音響導波管の説明図である。
【発明を実施するための形態】
【００１３】
図１は本発明が実施されたスポーツバー、コーヒーショップカフェ等、主に小型構造の内部に関するものであり、カフェ１の内部前面にスクリーン４を備え、その前面に多数のテーブル２を備え、テーブル２の左、右面に椅子３を配置してテーブル２の左、右面の視聴者が頭を巡らせば皆スクリーン４の映像を視聴することができる構造に構成する。
【００１４】
このようなスクリーン４に多数の映像を投射するが、多数の映像は２個の、又は４個、９個、１６個の画面等で構成することができる。しかし、本発明では皆同じな論理であるため、説明の便宜上一つのスクリーン４に４個の画面を多数画面の基準として説明する。
図２（ａ）のように、一つのスクリーンに多数のＡ、Ｂ、Ｃ、Ｄのようなそれぞれ異なる画面を具現することができる。
【００１５】
例えば、Ａは野球、Ｂはサッカー、Ｃは音楽番組、Ｄは映画等を投影することができ、一つのスクリーンでそれぞれ趣向通りの映像を選択視聴することができる。
【００１６】
また図２（ｂ）のように、スポーツ決勝戦又は映画のように、一つのスクリーン４で大型画面で一つの映像を視聴することができる。
【００１７】
このような作用効果は、図３のように、アンテナによる空中波、ケーブル放送、又はＤＶＤ、チューナー、映像録画媒体等による多数のチャンネルによって多数の映像と音響プログラムの入力を受ける受信装置６を備え、
上記受信装置６は、多数のチューナーによって多数のチャンネル映像出力端子７ａ、７ｂ、７ｃ、７ｄを備えたセットトップボックス７に備える。
【００１８】
上記セットトップボックス７の多数の映像出力端子ａ、ｂ、ｃ、ｄは、分配器１５でそれぞれ２個のラインに分配するが、その中の一つのラインは、それぞれ多数の映像を一つの映像に合成する映像分割器９に入力し、残りの一ラインの映像は、映像セレクター１０に入力する。
【００１９】
上記映像セレクター１０には、上記映像分割器９によって複数の映像が分割されて一つの映像に作られ出力される映像ｆを映像セレクター１０に入力する。
すなわち、映像セレクター１０には、上記映像分割器９で多数映像が一つの映像に分割編集された映像分割器９の映像ｆと、セットトップボックス７から入力される多数の映像の入力を受ける。
【００２０】
したがって、上記映像セレクター１０では、スィッチ選択によって映像分割器９で多数の映像が一つの映像に編集された映像と、セットトップボックス７から入力された多数の映像であるａ，ｂ，ｃ，ｄ，ｆ中で一つを選択してプロジェクター５を通じてスクリーン４に投射するようになるのである。
【００２１】
したがって、図２の（ａ）と（ｂ）のように、ａ，ｂ，ｃ，ｄの４個のチャンネルが入力される時映像セレクター１０の選択によって、図２のａのように４個の画面が一画面に合成された映像ｆを選択するか、又はａ、ｂ、ｃ、ｄの映像中一つの映像を選択して一つの大型スクリーンで大型スクリーンを視聴することができるのである。
上記は、４個の映像を基準して説明したものであるが、９個の映像、１６個の映像も同じ論理で可能である。
【００２２】
このような本発明は、一つのスクリーンで多数の映像を多くの人が同時に見なければならないため音響の選択聴取が難しくなる。
【００２３】
したがって図３のようにセットトップボックス７の多数のチャンネル音響出力端子８ａ，８ｂ，８ｃ，８ｄから多数の音響出力線８を各テーブル２位置まで連結する。
【００２４】
テーブル２には、多数の音響出力線８をチャンネル単位で選択して聴取することができる音響セレクター１１と、上記音響セレクター１１によって選択されたチャンネル単位の音響を増幅することができる音響増幅装置１４で構成する。
【００２５】
このような音響増幅装置１４は、再びスピーカー１２と連結構成する。
【００２６】
また、このような音響増幅装置１４は、テーブル２の位置単位で音響を指向して聴取することができるように、図４のように音響を集音することができる集音装置１３を構成する。
【００２７】
このような集音装置１３構造は、木材、プラスチックを材料として構成するところ、球面Ｒを有するコンケイブ形態で形成し、曲率球面Ｒの１／２地点が焦点Ｆ位置になるところ、
図５（ａ）のように曲率球面Ｒの焦点Ｆ位置にスピーカー１２が位置すれば、音響の拡散範囲ｃは直進反射し、上記スピーカー１２が上記焦点Ｆ位置以内に位置すれば、上記音響拡散範囲ｃは広くなり、反対に上記焦点Ｆ位置の外に上記スピーカー１２が位置するようになれば、上記音響拡散範囲ｃは狭くなるようになる。
【００２８】
したがって、上記図５の（ａ），（ｂ），（ｃ）の上記拡散範囲ｃを勘案してテーブル２と椅子３の位置とスピーカー１２の位置を効果的に配置することができる。
【００２９】
このような音響配置は、図６、図７のように、テーブル２と椅子３の位置によって音響が指向的に拡散するため、一つのスクリーン４で現出される複数の映像中の一つの映像の音響を選択する時、それに合う音響は、音響セレクター１１によって選択して聴取することができる。
【００３０】
また、音響の大きさは、音響増幅装置１４によって音響のボリュームを調整することができるのである。
【００３１】
また、上記多数のチャンネルを有するセットトップボックス７と多数の映像を一つの映像に合成する映像分割器９と多数の映像の入力を受けて選択する映像セレクター１０装置は、一つのボックスで回路基板化して一つのコントロールボックス１００で構成することができる。
【００３２】
上記のようなコントロールボックス１００構造を、再びプロジェクター５の内部や外部に構成して一つの構造で構成する時、設置と使用が簡便になる。
同じ論理で、図７のようにスピーカー１２の前に勾配角∠Ａを有する音響導波管１５を構成して、上記勾配角∠Ａによってスピーカー１２の音響がテーブル２単位で適当な音響拡散角を有するように構成することができる。
【００３３】
上記テーブル２毎にそれぞれ選択することができる音響装置は、図６のように、一つのボックス２００内部に、上記多数の音響入力端子１６ａ，１６ｂ，１６ｃ，１６ｄに連結された音響セレクター１１スィッチ装置と、選択された音響を増幅する音響増幅装置１４と、スピーカー１２と、
上記スピーカー１２の音響拡散範囲を決定する導波管１５又は集音装置１３をボックス２００単位で構成して設置と移動が簡便にできる。
【００３４】
上記音響セレクター１１装置と音響増幅装置１４及びスピーカー１２は、音響チャンネルが多くなるほど比例してその構成数を増大することができる。
このような本発明は、複数のプロジェクター５を複数個で備えて画面配置を左・右方向で多数分配することができ、
上記と同じ論理で、図２の（ａ）と（ｂ）のように小画面の分割画面又は大型画面で選択することができ、音響チャンネル選択も上記のような論理で構成することができる。
【００３５】
またプロジェクター５とスクリーン４を左、右複数個で配列使用することができる。
【００３６】
立体映像は、上記の構成でプロジェクター５の複数個構成し、上記プロジェクター５の投射レンズの前端に偏光板を付着した３Ｄプロジェクターや、左像と右像を順次に投射する機能の３Ｄプロジェクターの中から選択して構成した後、３Ｄ立体映像を入力した後、偏光めがねを使って立体映像を視聴することができる。
【００３７】
また音響において、ステレオ等多重チャンネルで音響を聴取する時は、音響チャンネルの数だけ音響セレクター１１と音響増幅チャンネル及びスピーカー１２を増大して構成すればよい。
【００３８】
したがって、このような本発明は、スクリーンの大きさが１２０インチの場合、３０インチ画面は１６個の多数の画面を、４０インチの画面は９個の多数の画面を、６０インチの画面は４個の多数画面で視聴することができ、
上記１６個、又は９個、４個の多数の画面を選択して１２０インチ画面で視聴することができ、上記のような多数の画面の中から選択視聴する画面の音響は、テーブルで選択視聴する映像の音響を聴取することができるのである。
【００３９】
したがって、一つの大型スクリーンで１６個のそれぞれ異なるスポーツ競技、又はニュース、映像番組、映画番組等を多様に同時に音響と映像を選択視聴したり、又は大型画面で選択視聴することができる。
【００４０】
また、一つのプロジェクターと一つのスクリーンによって多数の画面を投影するため、従来の複数のモニター設置からくる過多な設置費と電力費を減縮することができ、小さな場所で複数の映像を提供することができる。
【００４１】
また、小さな場所で３０インチ以上の４０インチ、６０インチ、１２０インチ等大型画面を一つのスクリーンで多数又は選択提供することができるため、小規模の営業場所で大型画面を多数個同時に提供することができる。
【００４２】
したがってこのような本発明は、小さな規模のスポーツ・バー、ビールカフェ、コーヒー店、休憩室，空港、ターミナル等、大勢の人が同時に使用する公共場所でも有用に適用することができる。
【符号の説明】
【００４３】
１  カフェ、２  テーブル、３  椅子、４  スクリーン、５  プロジェクター、６  音響映像受信装置、７  セットトップボックス、７ａ，７ｂ，７ｃ，７ｄ  チャンネル映像出力端子、８  音声出力線、８ａ，８ｂ，８ｃ，８ｄ  チャンネル音響出力端子、９  映像分割器、９ａ  分配器、１０  映像セレクター、１１  音響セレクター、１２  スピーカー、１３  集音装置、１４  音響増幅装置、１５  音響導波管、１６  分配器、１００  コントロールボックス、２００  音響ボックス。
【図１】
2013062795.tif 000003
【図２】
2013062795.tif 000004
【図３】
2013062795.tif 000005
【図４】
2013062795.tif 000006
【図５】
2013062795.tif 000007
【図６】
2013062795.tif 000008
【図７】
2013062795.tif 000009
【手続補正書】
【提出日】平成24年11月9日(2012.11.9)
【手続補正１】
【補正対象書類名】図面
【補正対象項目名】全図
【補正方法】変更
【補正の内容】
【図１】
2013062795.tif 000010
【図２】
2013062795.tif 000011
【図３】
2013062795.tif 000012
【図４】
2013062795.tif 000013
【図５】
2013062795.tif 000014
【図６】
2013062795.tif 000015
【図７】
2013062795.tif 000016